(57)【特許請求の範囲】
【請求項１】
アンテナで受信されるテレビ放送信号から、選択されているチャンネルで放送されるテレビ放送信号を受信し、前記テレビ放送信号をトランスポートストリームに復調する受信手段と、テレビ番組を示す番組データ及び複数のテレビ番組の放送予定を示す電子番組情報を前記トランスポートストリームから取り出し、前記テレビ番組に係る前記番組データを光ディスクに録画する録画手段と、を有する光ディスク装置と、
通信路を介して前記光ディスク装置に接続されるサーバと、を備えた録画システムにおいて、
前記光ディスク装置は、ユーザの性別または年齢を含む個人情報を登録する記憶手段と、前記通信路を介して前記個人情報を前記サーバに送信する通信手段と、を有し、
前記サーバは、
過去放送された第１のテレビ番組の視聴率の一覧と該第１のテレビ番組を特定する番組特定情報の一覧とが対応付けられたテーブルを、性別または年齢層別に複数記憶する記憶手段と、
前記通信手段から送信された前記個人情報に適合する１つのテーブルを適合テーブルとして前記記憶手段から読み出し、前記通信路を介して前記光ディスク装置に返信する返信手段と、を有し、
前記光ディスク装置の前記録画手段は、前記返信手段から前記適合テーブルが返信されると、その適合テーブルの、予め指定された閾値より高い視聴率の第１のテレビ番組の番組特定情報と前記電子番組情報とに基づいて、その第１のテレビ番組の次回に放送される第２のテレビ番組に係る前記番組データを前記光ディスクに録画する録画システム。
【請求項２】
前記光ディスク装置は、前記閾値の指定を受付ける指定手段を有する請求項１に記載の録画システム。
【請求項３】
前記光ディスク装置は、前記光ディスクへの録画を禁止するテレビ番組のジャンルを選択する選択手段を有し、
前記番組特定情報は、前記第１のテレビ番組のジャンルを含み、
前記録画手段は、前記返信手段から前記適合テーブルが返信された時、その適合テーブルの前記番組特定情報に基づいて、前記選択手段で選択されているジャンルの前記第２のテレビ番組の録画を禁止する請求項１又は２に記載の録画システム。
【請求項４】
アンテナで受信されるテレビ放送信号から、選択されているチャンネルで放送されるテレビ放送信号を受信し、前記テレビ放送信号をトランスポートストリームに復調する受信手段と、
テレビ番組を示す番組データ及び複数のテレビ番組の放送予定を示す電子番組情報を前記トランスポートストリームから取り出し、前記テレビ番組に係る前記番組データを光ディスクに録画する録画手段と、を備えた光ディスク装置において、
ユーザの性別または年齢を含む個人情報を登録する記憶手段と、
通信路を介して前記個人情報を、予め定められたサーバに送信する通信手段と、を備え、
前記録画手段は、過去放送された第１のテレビ番組の視聴率の一覧と該第１のテレビ番組を特定する番組特定情報の一覧とが対応付けられたテーブルが前記サーバから返信されると、そのテーブルの、予め指定された閾値より高い視聴率の第１のテレビ番組の番組特定情報と前記電子番組情報とに基づいて、その第１のテレビ番組の次回に放送される第２のテレビ番組に係る前記番組データを前記光ディスクに録画する光ディスク装置。
【発明の詳細な説明】
【技術分野】
【０００１】
本発明は、テレビ番組の放送波を受信し、視聴率の高いテレビ番組を調べてメディアに録画する録画システム、及びこの録画システムで適用される光ディスク装置に関するものである。
【背景技術】
【０００２】
従来より、テレビ番組の放送波を受信し、テレビ番組をメディアに録画する録画装置が一般に広く普及している。このような録画装置としては、例えばＤＶＤレコーダが挙げられる。
【０００３】
現在、テレビ番組の視聴率は放送終了後にユーザ（視聴者）に発表されるが、発表される視聴率を見ることなくテレビ番組を視聴したり録画するユーザも多い。こういうユーザは、自身が好むテレビ番組を録画装置に録画予約する。すると、録画装置は、その録画予約に基づいて該テレビ番組をメディアに録画する。その後、ユーザは、メディアを再生して、録画したテレビ番組を視聴する。
なお、特許文献１では、電子機器が提案されている。
【特許文献１】特開２００５−３４７８０６公報
【発明の開示】
【発明が解決しようとする課題】
【０００４】
しかしながら、自身が好むテレビ番組以外のテレビ番組でも、高視聴率番組であれば録画したいとユーザが思う場合がある。例えば、スポーツへの興味を有していないユーザはスポーツ番組を録画しないが、多数のユーザが視聴しているオリンピックならば録画したいという要望がある。
この場合でも、発表される視聴率を見ないユーザは、上記高視聴率番組に気付かず、上記高視聴率番組を録画せずに終わってしまう。その結果、上記高視聴率番組を後で視聴できないので、こういうユーザは、多くの者が知っている情報について行くのが難しいという問題があった。
【０００５】
本発明はこのような従来の課題を解決しようとするものであり、ユーザの年齢層や性別等に応じた高視聴率番組を自動的に録画して、多くの者が知っている情報にユーザがついて行けるようにした録画システム及び光ディスク装置を提供することを目的とする。
【課題を解決するための手段】
【０００６】
本発明の録画システムは、前記課題を解決するために以下の構成を備えている。
【０００７】
（１）アンテナで受信されるテレビ放送信号から、選択されているチャンネルで放送されるテレビ放送信号を受信し、前記テレビ放送信号をトランスポートストリームに復調する受信手段と、テレビ番組を示す番組データ及び複数のテレビ番組の放送予定を示す電子番組情報を前記トランスポートストリームから取り出し、前記テレビ番組に係る前記番組データを光ディスクに録画する録画手段と、を有する光ディスク装置と、
通信路を介して前記光ディスク装置に接続されるサーバと、を備えた録画システムにおいて、
前記光ディスク装置は、ユーザの性別または年齢を含む個人情報を登録する記憶手段と、前記通信路を介して前記個人情報を前記サーバに送信する通信手段と、を有し、
前記サーバは、
過去放送された第１のテレビ番組の視聴率の一覧と該第１のテレビ番組を特定する番組特定情報の一覧とが対応付けられたテーブルを、性別または年齢層別に複数記憶する記憶手段と、
前記通信手段から送信された前記個人情報に適合する１つのテーブルを適合テーブルとして前記記憶手段から読み出し、前記通信路を介して前記光ディスク装置に返信する返信手段と、を有し、
前記光ディスク装置の前記録画手段は、前記返信手段から前記適合テーブルが返信されると、その適合テーブルの、予め指定された閾値より高い視聴率の第１のテレビ番組の番組特定情報と前記電子番組情報とに基づいて、その第１のテレビ番組の次回に放送される第２のテレビ番組に係る前記番組データを前記光ディスクに録画する。
【０００８】
この構成において、通信路は、例えばインターネットである。また、番組特定情報とは、例えば第１のテレビ番組の放送時間帯、又は第１のテレビ番組のチャンネル番号である。また、第１のテレビ番組および第２のテレビ番組は、複数回に渡って放送される連続番組である。また、性別および／又は年齢層別にテーブルを設けた理由は、視聴率が、ユーザの年齢層や性別等によって異なるからである。
【０００９】
この構成では、ユーザが、自身の年齢や性別を録画装置に予め登録する。すると、その個人情報が録画装置からサーバに送信され、その個人情報に対応する適合テーブルがサーバで読み出される。そして、適合テーブルがサーバから録画装置に返信されると、その適合テーブルの中で、予め指定された閾値より高い視聴率の第１のテレビ番組の番組特定情報が定まる。最後に、録画手段が、その番組特定情報に基づいて第２のテレビ番組（正確には番組データ）を光ディスクに録画する。
以上のようにして、録画システムは、ユーザの年齢層や性別等に応じた高視聴率番組を自動的に録画する。そのため、ユーザは、録画終了後、光ディスクを再生して、自身の年齢や性別に応じた高視聴率番組である第２のテレビ番組を視聴することができる。これにより、ユーザは、多くの者が知っている情報について行けるようになる。
【００１０】
また、この構成において、第２のテレビ番組の放送時間帯が突如変更となり、変更後の放送時間帯が電子番組情報に記述されている場合、録画手段は、電子番組情報の情報を優先させて録画を実行する。また、第２のテレビ番組の放送中止、放送終了が電子番組情報に記述されている場合、録画手段は、録画を禁止する。
これにより、第２のテレビ番組の放送中止、放送終了、放送時間帯の変更等にも対応できる。そのため、第２のテレビ番組の録画失敗を防ぐことができる。
【００１１】
（２）前記光ディスク装置は、前記閾値の指定を受付ける指定手段を有する。
【００１２】
この構成において、ユーザは、高視聴率とする視聴率の閾値を指定手段で予め指定できる。ユーザが閾値を予め指定すると、録画手段は、その指定された閾値に基づいて録画を行う。これにより、ユーザは、どの視聴率から高視聴率とするのかを、自分の使用方法に応じて設定できる。
【００１３】
（３）前記光ディスク装置は、前記光ディスクへの録画を禁止するテレビ番組のジャンルを選択する選択手段を有し、
前記番組特定情報は、前記第１のテレビ番組のジャンルを含み、
前記録画手段は、前記返信手段から前記適合テーブルが返信された時、その適合テーブルの前記番組特定情報に基づいて、前記選択手段で選択されているジャンルの前記第２のテレビ番組の録画を禁止する。
【００１４】
この構成において、ユーザがジャンルを選択手段で予め選択すると、録画手段は、その選択されたジャンルの録画を禁止する。これにより、ユーザは、高視聴率番組であっても録画したくないテレビ番組を、自分の使用方法に応じて設定できる。
【００１５】
また、本発明の光ディスク装置は、前記課題を解決するために以下の構成を備えている。
【００１６】
（４）アンテナで受信されるテレビ放送信号から、選択されているチャンネルで放送されるテレビ放送信号を受信し、前記テレビ放送信号をトランスポートストリームに復調する受信手段と、
テレビ番組を示す番組データ及び複数のテレビ番組の放送予定を示す電子番組情報を前記トランスポートストリームから取り出し、前記テレビ番組に係る前記番組データを光ディスクに録画する録画手段と、を備えた光ディスク装置において、
ユーザの性別または年齢を含む個人情報を登録する記憶手段と、
通信路を介して前記個人情報を、予め定められたサーバに送信する通信手段と、を備え、
前記録画手段は、過去放送された第１のテレビ番組の視聴率の一覧と該第１のテレビ番組を特定する番組特定情報の一覧とが対応付けられたテーブルが前記サーバから返信されると、そのテーブルの、予め指定された閾値より高い視聴率の第１のテレビ番組の番組特定情報と前記電子番組情報とに基づいて、その第１のテレビ番組の次回に放送される第２のテレビ番組に係る前記番組データを前記光ディスクに録画する。
【００１７】
この構成は、この光ディスク装置は、上記（１）の録画システムに用いられる。
これにより、上記（１）と同様の効果を奏する。
【発明の効果】
【００１８】
この発明によれば、ユーザは、多くの者が知っている情報について行けるようになる。
【発明を実施するための最良の形態】
【００１９】
以下、本発明の実施形態である録画システムについて説明する。
【００２０】
図１は、本発明の実施形態である録画システムのシステム構成図である。録画システム１０１は、放送局から伝送されてきたテレビ放送信号を受信するアンテナ６と、DVD１００がセットされるＤＶＤレコーダ２と、インタフェースを介してＤＶＤレコーダ２と接続されるテレビジョン（以下、「TV」と称する）３と、ネットワーク５を介してＤＶＤレコーダ２と接続されるデータベース（以下、「DB」と称する）サーバ４と、を備える。
なお、ＤＶＤレコーダ２及びTV３は、各ユーザの家で使用される。DBサーバ４は、ネットワーク５上に設けられたサーバである。つまり、DBサーバ４が１台に対し、ＤＶＤレコーダ２を含む複数台のＤＶＤレコーダがネットワーク５を介して接続されている。
【００２１】
DVD１００は、ＤＶＤ（Digital  Versatile  Disk）規格に準拠して製造されたＤＶＤ−RＷである。DVD１００は、ユーザが過去に購入して所持しているディスクとする。
【００２２】
ＤＶＤレコーダ２は、アンテナ６で受信されるテレビ放送信号に含まれるテレビ番組の信号（コンテンツデータ）をDVD１００に録画する。また、ＤＶＤレコーダ２は、DVD１００からコンテンツデータを読み取り、インタフェースを介してTV３に出力する。これにより、ＤＶＤレコーダ２は、DVD１００のコンテンツをTV３で再生する。
また、ネットワーク５は、本発明の「通信路」に相当し、例えばインターネットである。
【００２３】
図２は、録画システムに用いられるＤＶＤレコーダの主要な構成を示すブロック図である。ＤＶＤレコーダ２は、装置本体２の各部の動作を制御する制御部２１と、選択されているチャンネルで放送されるテレビ番組の放送波を受信する受信部２６と、その放送波からコンテンツデータを取り出す記録読取回路２３と、DVD１００に対しデータの記録および読取を行うピックアップヘッド２２（以下、PUヘッド２２と称する。）と、音声データをアナログの再生音声信号に変換する音声処理部２４と、画像データをアナログの再生画像信号に変換する画像出力部２５と、を備えている。さらに、ＤＶＤレコーダ２は、ユーザの操作を受け付ける操作部２７と、装置本体２を遠隔操作するリモコン２７Aと、情報を表示する表示部２８と、データを記憶する記憶部２９と、ルータ（不図示）を介してネットワーク５に接続されているＮＩＣ（Network Interface Card）２０と、を備えている。
【００２４】
PUヘッド２２は、図示しないレーザダイオード（ＬＤ）、コリメータレンズ、ビームスプリッタ、対物レンズ、フォトディテクタ、スレッドモータ、及びアクチュエータを有している。
【００２５】
まず、録画を行う部分の構成について詳述する。
【００２６】
受信部２６は、例えばディジタルチューナで構成される。受信部２６は、制御部２１の指示に基づいて、アンテナ６で受信されるテレビ放送信号から、選択されているチャンネルで放送されるテレビ放送信号を受信（抽出）する。さらに、受信部２６は、そのテレビ放送信号を、ディジタルデータであるトランスポートストリームに復調し、記録読取回路２３に出力する。このトランスポートストリームには、テレビ番組を示すコンテンツデータが記述されたパケット群、全チャンネルのテレビ番組の放送予定を示すＥＰＧデータが記述されたパケット群、等が含まれる。ここで、コンテンツデータは、例えばＭＰＥＧでエンコードされている。
【００２７】
記録読取回路２３は、複数パケットを蓄積するためのバッファメモリ２３Ａを内蔵する。記録読取回路２３は、入力されたトランスポートストリームから、コンテンツデータを取り出し、そのディジタル信号をＰＵヘッド２２に出力する。また、記録読取回路２３は、入力されたトランスポートストリームから、ＥＰＧデータを取り出し、制御部２１に出力する。このＥＰＧデータは、制御部２１によって記憶部２９に記録される。
【００２８】
ＰＵヘッド２２は、記録読取回路２３からディジタル信号が入力されると、このディジタル信号に応じて記録パワーのレーザ光を調整し、光ディスク１００の記録面に照射する。これにより、ＤＶＤレコーダ２は、テレビ番組を光ディスク１００に録画する。
【００２９】
再生を行う部分の構成について詳述する。
PUヘッド２２は、DVD１００に対してレーザ光を照射し、DVD１００からの反射光をフォトディテクタで検出する。これにより、PUヘッド２２は、DVD１００に記録されているデータを光学的に読み出す。
【００３０】
記録読取回路２３は、PUヘッド２２における複数の受光素子の出力に基づいてＲＦ信号を生成し、該ＲＦ信号を増幅する。そして、記録読取回路２３は、該ＲＦ信号を処理して画像と音声のデータを取り出す。ここで、取り出される画像と音声のデータは、バッファメモリ２３Ａに一時的に格納される。そして、記録読取回路２３は、これらのデータをバッファメモリ２３Ａから順次読み出し、例えばＭＰＥＧでデコードする。そして、記録読取回路２３は、音声データを音声処理部２４に、画像データを画像出力部２５に、これらのデータの同期を取りながら、それぞれ出力する。
【００３１】
音声処理部２４は、音声データをアナログの再生音声信号に変換し、その再生音声信号を外部のＴＶ３に出力する。画像出力部２５は、記録読取回路２３から出力された画像データをアナログの再生画像信号に変換し、外部のＴＶ３に出力する。
音声処理部２４及び画像出力部２５には、インタフェースを介してＴＶ３が接続される。ＴＶ３は、ＤＶＤレコーダ２から出力された信号を処理して、画像を画面上に表示したり音声を出力したりする。
ユーザは、このＴＶ３において、音声処理部２４及び画像出力部２５から出力された再生画像信号に基づく画像、及び再生音声信号に基づく音声を視聴することができる。これにより、ユーザは、ＤＶＤ１００に録画されているコンテンツを視聴する。
【００３２】
操作部２７は、ユーザがＤＶＤレコーダ２に対して各種の命令（コマンド）を入力するためのものである。操作部２７には、ユーザの操作を受け付ける複数のキーが設けられている。ＤＶＤレコーダ２に対してユーザが入力したコマンドは制御部２１に伝送される。
複数のキーの中には、DVD１００の再生を指示するための再生キー、テレビ番組をDVD１００に録画するための録画キー、ユーザの個人情報を入力するための個人情報入力キーが含まれる。ここで、個人情報入力キーの詳細については、後述する。
操作部２７には、リモコン信号検出部（不図示）が設けられている。リモコン信号検出部に対し、装置本体の外部からリモコン２７Aを用いて、電源のON／OFF、再生指示等の命令が入力されると、リモコン信号検出部は、リモコン２７Aからの命令信号を受信して制御部２１に伝送する。リモコン２７Aには、操作部２７と同様のキーが設けられている。
【００３３】
表示部２８は、現在時刻、ＤＶＤレコーダ２の設定状態、所定のメッセージなどを表示する。
【００３４】
記憶部２９は、例えばＥＥＰＲＯＭで構成されている。記憶部２９は、装置本体２の各部の制御方法が記述された制御プログラムを記憶する。さらに、記憶部２９は、DBサーバ４のURLを記憶する。このURLは、ネットワーク５上のアドレスを示す情報である。
【００３５】
制御部２１は、例えばマイクロコンピュータで構成される。また、制御部２１は、上記の制御プログラムなどを展開するワークフィールドとしてのＲＡＭ２１Ａと、現在時刻の計時を行うタイマー回路２１Ｂと、を内蔵する。制御部２１は、ＤＶＤレコーダ２にユーザから入力された命令に応じてＤＶＤレコーダ２の各部の動作を制御する。
【００３６】
なお、ＰＵヘッド２２、記録読取回路２３が、本発明の「録画手段」に相当する。また、ＰＵヘッド２２、制御部２１及びＮＩＣ２０が、本発明の「通信手段」に相当する。また、操作部２７及びリモコン２７Aが、本発明の「選択手段」に相当する。また、操作部２７及びリモコン２７Aが、本発明の「指定手段」に相当する。
【００３７】
図３は、録画システムに用いられるＤＢサーバの主要な構成を示すブロック図である。DBサーバ４は、ルータ（不図示）を介してネットワーク５と接続されているNIC（Network Interface Card）４０と、DBサーバ４の各部の動作を制御する制御部４１と、DBサーバ４の各部の制御方法が記述された制御プログラムを記憶するハードディスク４２と、を備える。
【００３８】
制御部４１は、例えばMPUである。さらに、制御部４１は、上記制御プログラムを展開するためのワークフィールドとしてのRAM（不図示）を内臓する。
なお、制御部４１が、本発明の「返信手段」に相当する。また、ハードディスク４２が、本発明の「記憶手段」に相当する。
【００３９】
図４は、ハードディスク４２に記憶されている対応表４３の内容を示す図である。ハードディスク４２は、さらに、年代および性別と、視聴率テーブル４４Ａ〜Ｅと、の対応関係が記述された対応表４３を予め記憶する。この実施形態において、年代および性別毎に視聴率テーブルを設けた理由は、視聴率が、ユーザの年齢層や性別等によって異なるからである。例えば、子供はアニメ番組を好み、老人は歴史番組を好む傾向にある。
【００４０】
ここで、視聴率テーブル４４Ａ〜Ｅを代表して、視聴率テーブル４４Ｃについて説明する。視聴率テーブル４４Ａ〜Ｅのそれぞれは、本発明の「テーブル」に相当する。
【００４１】
図５は、視聴率テーブル４４Ｃの内容を示す図である。視聴率テーブル４４Ｃは、過去放送された第１のテレビ番組の視聴率の一覧と、第１のテレビ番組を特定する番組特定情報と、が記述されている。この視聴率の一覧は、視聴率の大きいもの順に並べられている。また、番組特定情報とは、第１のテレビ番組の放送時間帯、第１のテレビ番組のチャンネル番号、又は第１のテレビ番組のジャンルである。
【００４２】
なお、第１のテレビ番組は、複数回に渡って放送される連続番組とする。さらに、第１のテレビ番組は放送継続中のテレビ番組とする。なぜなら、全ての回の放送が終了してしまった第１のテレビ番組は録画装置側で録画できないためである。そのため、そのような第１のテレビ番組は視聴率テーブル４４Ｃから予め除外しておく。また、この視聴率テーブル４４Ａ〜Ｅの内容は、例えば一週間毎に最新の情報に更新する。
【００４３】
図６は、本発明の実施形態である録画システムにおける、ＤＶＤレコーダ２とＤＢサーバ４における各制御部の動作を示すフローチャートである。この動作は、１日に２回行われ、例えば時刻が１２：００の時に制御部２１が実行する動作である。また、この動作の前に、ユーザは、個人情報入力キーにより個人情報（年齢および性別）を入力しておく。この実施形態では、ユーザが３２歳・男性と入力したとする。入力された個人情報は、記憶部２９に登録される。
【００４４】
まず、制御部２１は、記憶部２９から個人情報を読取る（Ｓ１）。そして、制御部２１は、個人情報をＮＩＣ２０からＤＢサーバ４に送信する（Ｓ２）。これにより、ＤＢサーバ４は、ネットワーク５を介して伝送されてきたＤＶＤ１００のタイトル名をＮＩＣ４０で受信する。
ここで、Ｓ２について詳述すると、DBサーバ４のＵＲＬ（Uniform Resource Locator）は、記憶部２９に予め記憶させておく。さらに、ＤＶＤレコーダ２に割り振られたＩＰアドレスも記憶部２９に予め記憶させておく。そのため、制御部２１は、このＵＲＬを宛て先として、ＤＶＤ１００のタイトル名を、そのＩＰアドレスとともにＤＢサーバ４に送信する。
なお、ＩＰアドレスとは、ネットワーク５上でＤＶＤレコーダ２を識別する識別番号である。ＩＰアドレスは、ネットワーク５上におけるＤＶＤレコーダ２の所在を示す情報である。
【００４５】
ＤＢサーバ４の制御部４１は、ＮＩＣ４０で受信した個人情報に対応する視聴率テーブルを検索する（Ｓ１１）。例えば図４では、個人情報が「３２歳の男性」であれば、制御部４１は、視聴率テーブル４４ＣをＨＤ４２から読み出す。また、個人情報が「２２歳の女性」であれば、制御部４１は、視聴率テーブル４４ＢをＨＤ４２から読み出す。この実施形態では、視聴率テーブル４４ＣがＨＤ４２から読み出される。
【００４６】
そして、制御部４１は、視聴率テーブル４４ＣをＮＩＣ４０からＤＶＤレコーダ２に返信する（Ｓ１２）。これにより、ＤＶＤレコーダ２は、ネットワーク５を介して伝送されてきたＳ１１の検索結果をＮＩＣ２０で受信する。
なお、Ｓ１２について詳述すると、制御部４１は、ＤＶＤレコーダ２のＩＰアドレスを宛て先として、Ｓ１１の検索結果をＤＶＤレコーダ２に返信する。
【００４７】
ＤＶＤレコーダ２の制御部２１は、ＮＩＣ２０が視聴率テーブル４４Ｃを受信すると、予め指定された閾値より高い視聴率の第１のテレビ番組があるかどうか判定する（Ｓ３）。この閾値は、高視聴率番組であるとみなせる値に設定すれば良く、例えば視聴率２０％である。例えば図５では、視聴率２０％より高いテレビ番組は、野鳥物語、コスタリカの謎、及び盲導犬コロである。予め指定された閾値より高い視聴率のテレビ番組がなければ、制御部２１は、本処理を終了する。
【００４８】
一方、予め指定された閾値より高い視聴率の第１のテレビ番組があれば、制御部２１は、視聴率テーブル４４Ｃの番組特定情報に基づいて、その第１のテレビ番組の次回に放送される第２のテレビ番組を記憶部２９に録画予約する（Ｓ４）。例えば図５の野鳥物語であれば、制御部２１は、「６ＣＨ、毎週月曜２１：００〜２２：００」と記憶部２９に録画予約する。また、図５のコスタリカの謎であれば、制御部２１は、「１０ＣＨ、毎週金曜２０：００〜２２：００」と記憶部２９に録画予約する。また、図５の盲導犬コロであれば、制御部２１は、「４ＣＨ、毎週水曜２１：００〜２２：００」と記憶部２９に録画予約する。
【００４９】
制御部２１は、タイマー回路２１Ｂの計時時刻が録画予約時刻に達すると（Ｓ５）、ＤＶＤ１００に対する第２のテレビ番組の録画を開始し（Ｓ６）、本処理を終了する。これにより、例えば図５の野鳥物語やコスタリカの謎や盲導犬コロがＤＶＤ１００に録画される。
【００５０】
以上のようにして、録画システム１０１及びＤＶＤレコーダ２は、ユーザの年齢層や性別等に応じた高視聴率番組を自動的に録画している。そのため、ユーザは、録画終了後、ＤＶＤ１００を再生して、自身の年齢や性別に応じた高視聴率番組を視聴することができる。これにより、ユーザは、多くの者が知っている情報について行けるようになる。
【００５１】
また、本発明の実施形態は、以下の変形例を採用することができる。
【００５２】
（第１変形例）
操作部２７に、視聴率の閾値を指定するための指定キーを設けても構わない。そして、高視聴率とする視聴率の閾値をユーザに指定キーで予め指定させる。ユーザが閾値を予め指定すると、制御部２１は、その指定された閾値でＳ３の判定を行う。これにより、ユーザは、どの視聴率から高視聴率とするのかを、自分の使用方法に応じて設定できる。
【００５３】
（第２変形例）
Ｓ６において制御部２１は、ＥＰＧと視聴率テーブル４４Ｃの番組特定情報とに基づいて、第２のテレビ番組を記憶部２９に録画しても構わない。例えば図５に示す野鳥物語りの放送時間帯が野球番組の延長によって「２１：３０〜２２：３０」に変更となり、変更後の放送時間帯がＥＰＧに記述されている場合、制御部２１は、ＥＰＧの情報を優先させてＳ６の録画を実行する。また、第２のテレビ番組の放送中止、放送終了がＥＰＧに記述されている場合、制御部２１は、Ｓ６の録画を禁止する。
これにより、第２のテレビ番組の放送中止、放送終了、放送時間帯の変更等にも対応できる。そのため、第２のテレビ番組の録画失敗を防ぐことができる。
【００５４】
（第３変形例）
操作部２７に、DVD１００への録画を禁止するテレビ番組のジャンルを選択するための選択キーを設けても構わない。ＤＶＤレコーダ２は、例えば、テレビ番組の全ジャンルを表示部２８で表示し、録画を禁止したいジャンルをユーザに選択キーで予め選択させる。ユーザがジャンルを選択キーで予め選択すると、Ｓ６において制御部２１は、その選択されたジャンルの録画を禁止する。例えばユーザがドラマを選択したとすると、Ｓ６において制御部２１は、視聴率テーブル４４Ｃの番組特定情報に基づいて、ドラマの録画を禁止する。これにより、ユーザは、高視聴率番組であっても録画したくないテレビ番組を、自分の使用方法に応じて設定できる。
【図面の簡単な説明】
【００５５】
【図１】本発明の実施形態である録画システムのシステム構成図
【図２】録画システムに用いられるＤＶＤレコーダの主要な構成を示すブロック図
【図３】録画システムに用いられるＤＢサーバの主要な構成を示すブロック図
【図４】ハードディスク４２に記憶されている対応表４３の内容を示す図
【図５】視聴率テーブル４４Ｃの内容を示す図
【図６】本発明の実施形態である録画システムにおける、ＤＶＤレコーダ２とＤＢサーバ４における各制御部の動作を示すフローチャート
【符号の説明】
【００５６】
２−ＤＶＤレコーダ
３−テレビジョン
４−ＤＢサーバ
５−ネットワーク
６−アンテナ
２０−ＮＩＣ
２１−制御部
２１Ａ−ＲＡＭ
２１Ｂ−タイマー回路
２２−ピックアップヘッド
２３−記録読取回路
２３Ａ−バッファメモリ
２４−音声処理部
２５−画像出力部
２６−受信部
２７−操作部
２７A−リモコン
２８−表示部
２９−記憶部
４０−ＮＩＣ
４１−制御部
４２−ＨＤ
４２−ハードディスク
４３−対応表
４４Ａ〜Ｅ−視聴率テーブル
１００−ＤＶＤ
１００−光ディスク
１０１−録画システム
【図１】
0004935624.tif 000002
【図２】
0004935624.tif 000003
【図３】
0004935624.tif 000004
【図４】
0004935624.tif 000005
【図５】
0004935624.tif 000006
【図６】
0004935624.tif 000007